(57)【要約】【課題】入浴者への酸素の供給を効率良くできる酸素浴システムを提供すること。【解決手段】入浴者が着座する着座部５と入浴者の身体に湯水を噴出するシャワー噴出部６とを備えたシャワー装置１と、上記シャワー噴出部６の近傍に配設されてシャワー装置１の使用時に入浴者の顔面部７を覆うフェイスカバー２と、上記フェイスカバー２の内側に設けられて酸素発生装置４からの酸素を噴出する酸素噴出ノズル３とを具備している酸素浴システムである。【選択図】図１
2008005916.tif 000002
【特許請求の範囲】
【請求項１】
入浴者が着座する着座部と入浴者の身体に湯水を噴出するシャワー噴出部とを備えたシャワー装置と、上記シャワー噴出部の近傍に配設されてシャワー装置の使用時に入浴者の顔面部を覆うフェイスカバーと、上記フェイスカバーの内側に設けられて酸素発生装置からの酸素を噴出する酸素噴出ノズルとを具備していることを特徴とする酸素浴システム。
【請求項２】
上記フェイスカバーは、顔面部を覆う位置と覆わない位置との間で可動自在となっていることを特徴とする請求項1記載の酸素浴システム。
【請求項３】
上記フェイスカバーを顔面部を覆う位置にセットするのに連動して、酸素発生装置からの酸素の供給を開始するスイッチ手段を設けたことを特徴とする請求項２記載の酸素浴システム。
【発明の詳細な説明】
【技術分野】
【０００１】
本発明は、浴室で酸素浴を行なう酸素浴システムに関するものである。
【背景技術】
【０００２】
従来より、例えば図３に示すように、浴槽８近傍の壁パネル２０に酸素噴出口２１を設け、酸素発生装置４からの酸素をダクト２２を介して酸素噴出口２１から浴槽8側に噴出させたり、天井パネル２５に酸素噴出口２３を設けて、酸素発生装置４からの酸素をダクト２４を介して酸素噴出口２３から浴室１５内に噴出させることで、酸素浴によって入浴者のリラックス効果が得られるようにした酸素浴システムが知られている（例えば、特許文献１参照）。
【０００３】
ところが、従来では、浴室１５全体に酸素を供給しているため、入浴者への酸素の供給が不効率となり、酸素浴を効率良く行なうことができないという課題を有していた。
【特許文献１】特開平１０−１５５８６０号公報
【発明の開示】
【発明が解決しようとする課題】
【０００４】
本発明は上記の従来の問題点に鑑みて発明したものであって、入浴者への酸素の供給を効率良くできる酸素浴システムを提供することを課題とするものである。
【課題を解決するための手段】
【０００５】
前記課題を解決するために本発明に係る酸素浴システムは、入浴者が着座する着座部５と入浴者の身体に湯水を噴出するシャワー噴出部６とを備えたシャワー装置１と、上記シャワー噴出部６の近傍に配設されてシャワー装置１の使用時に入浴者の顔面部７を覆うフェイスカバー２と、上記フェイスカバー２の内側に設けられて酸素発生装置４からの酸素を噴出する酸素噴出ノズル３とを具備していることを特徴としている。
【０００６】
このような構成とすることで、入浴者が着座部５に着座し、フェイスカバー２を入浴者の顔面部７を覆う位置にセットすることで、シャワー入浴をしながら、酸素が入浴者の顔面部７に向かって放出されるようになり、これにより、酸素を吸込みやすくなると同時に酸素が浴室１５内に逃げていくことがないため、酸素浴を効率良く行なうことができる。
【０００７】
また、上記フェイスカバー２は、顔面部７を覆う位置と覆わない位置との間で可動自在となっているのが好ましく、この場合、フェイスカバー２を使用しないときにはフェイスカバー２を動かすことによって、フェイスカバー２が邪魔にならずに、入浴動作をスムーズに行なえるようになる。また、浴槽８への入浴時には、フェイスカバー２を例えば浴槽８側に向けることにより、浴槽８内の入浴者に酸素が供給でき、浴槽８への入浴時にも効率良く酸素浴が行なえるようになる。
【０００８】
また、上記フェイスカバー２を顔面部を覆う位置にセットするのに連動して、酸素発生装置４からの酸素の供給を開始するスイッチ手段９を設けるのが好ましく、この場合、フェイスカバー２を顔面部を覆う位置にセットする動作だけで、フェイスカバー２内に向かって自動的に酸素が供給されるので、入浴者の操作軽減を図ることができる。
【発明の効果】
【０００９】
本発明の酸素浴システムは、シャワー装置の使用時に入浴者の顔面部を覆うフェイスカバーを備えると共に、フェイスカバーの内側に酸素を噴出する酸素噴出ノズルを設けたことにより、酸素を吸込みやすくなると同時に酸素が浴室内に逃げていくことがないため、酸素浴を効率良く行なうことができるものである。
【発明を実施するための最良の形態】
【００１０】
以下、本発明を添付図面に示す実施形態に基いて説明する。
【００１１】
本実施形態のシャワー装置１は、シャワー装置本体１Ａと、入浴者の顔面部７を覆うフェイスカバー２とで構成されている。シャワー装置本体１Ａは、入浴者が着座する着座部５と、背もたれ部を兼ねる背板部１Ｂと、入浴者の身体に湯水を噴出するシャワー噴出部６とを一体に備えている。
【００１２】
シャワー噴出部６は、背板部１Ｂに上下回動自在に枢支される左右一対のノズルアーム１０と、各ノズルアーム１０に設けられる複数のシャワー噴霧ノズル１１とからなる。各シャワー噴霧ノズル１１は、図示省略した接続管を介して浴室１５外に設置した給湯器と連通しており、給湯器から湯水が供給できる構成となっている。各シャワー噴霧ノズル１１は、例えば、一般のシャワーノズルより穴径を小さくし、かつ湯水を旋回して噴出することにより霧状に噴霧できるようにしている。さらにシャワー噴霧ノズル１１は、入浴者の身体に最適な方向に噴出するため設置角度が調節可能な構成となっている。なお背板部１Ｂには上記湯水噴霧ノズル３とは別の噴霧ノズル１１ａが設けられており、強めの水流を肩に向かって噴出する打たせ湯気分のシャワー入浴ができるようにしている。
【００１３】
一方、フェイスカバー２は、入浴者の顔面部７を覆うことができるドーム状をしており、シャワー装置本体１Ａの背板部１Ｂの上端部にて支持されている。背板部１Ｂの高さは、着座部５に着座した入浴者の頭部よりも高く、フェイスカバー２は入浴者の頭部から顔面部７にかけて覆うことができる位置に設けられる。
【００１４】
図２は、フェイスカバー２の取付構造の一例を示している。図２の例では、背板部１Ｂの上端の前面から斜め前下方に向かって横長扁平状をしたカバー支持部１２を突設すると共に、カバー支持部１２の内部から背板部１Ｂの上端の内部に亘って、フェイスカバー２を収納するための斜め前下がりの収納溝１３が形成されており、フェイスカバー２の不使用時にはフェイスカバー２を収納溝１３に押し込んで、フェイスカバー２が邪魔にならないようにし、フェイスカバー２の使用時にはフェイスカバー２の先端を手前に引いて入浴者の顔面部７を覆う位置まで引き出せるようにしている。
【００１５】
さらに、フェイスカバー２の根元側には段部１４が形成されており、収納溝１３の途中にはマイクロスイッチ９ａが設けられている。マイクロスイッチ９ａは接点ＯＮ−ＯＦＦ状態でフェイスカバー２の位置検出を行うためのスイッチ手段９を構成しており、フェイスカバー２を引き出して入浴者の顔面部７を覆う位置にセットしたときに段部１４がマイクロスイッチ９ａの接触片をＯＮにして、酸素発生装置４が駆動するようになり、フェイスカバー２を収納溝１３内に収納したときに段部１４がマイクロスイッチ９ａの接触片から離れることでマイクロスイッチ９ａがＯＦＦとなり、酸素発生装置４が停止するようになっている。
【００１６】
上記酸素発生装置４は例えば天井裏に設置され、天井裏から壁裏に配管されるダクト５５を介して、フェイスカバー２の背後の背板部１Ｂ側に設けた酸素噴出ノズル３に接続されている。酸素噴出ノズル３は、例えば、入浴者の顔面部７に向けて最適な方向に噴出するため設置角度が調節可能な構成となっている。
【００１７】
しかして、入浴者は着座部５に着座し、入浴者がフェイスカバー２を引き出して顔面部７を覆う位置にセットした状態で、ノズルアーム１０を回動して身体の前方に設置し、シャワー噴霧ノズル１１から噴出する湯を主に肩から下の部分に向けて浴びる。このとき噴出した湯は霧状となって入浴者の肩から下を包み込むように噴霧空間を形成し、入浴者は浴槽８に入浴したときと同様の温熱効果を得ることができる。
【００１８】
また、入浴者がフェイスカバー２を顔面部７を覆う位置にセットしたときに、スイッチ手段９が働いて酸素発生装置４からの酸素が酸素噴出ノズル３を介してフェイスカバー２内に供給される。これにより、酸素は入浴者の顔面部７に向かって放出され、酸素を吸込みやすくなると同時に入浴者の呼吸を楽にさせ、気分を落ち着かせ、気分を爽快にさせ、よりリラックス効果とリフレッシュ効果を高めることができる。また身体の温度が上昇した場合でも息苦しさを緩和することができる。
【００１９】
しかも、酸素を入浴者の顔面部７を覆うフェイスカバー２内に供給することで、酸素が浴室１５内に逃げていくことがなくなり、顔面部７への酸素供給量を増やすことができ、酸素浴を効率良く行なうことかできると共に、直接酸素を摂取しやすくなり、リフレッシュ効果をより高めることができる。そのうえフェイスカバー２をセットするだけで、酸素噴出ノズル３から自動的に酸素が供給されるので、入浴者への酸素供給を効率よく行なうことができると共に、入浴者の操作軽減を図ることができる利点もある。
【００２０】
一方、浴槽８への入浴時には、フェイスカバー２を入浴者の顔面部７を覆う位置にセットしたままで且つフェイスカバー２を浴槽８側に向けるようにすることで、浴槽８内の入浴者に向かって酸素を供給でき、浴槽８への入浴時にも効率良く酸素浴ができるようになる。ここで、フェイスカバー２を入浴者の顔面部７を覆う位置にセットしたままで且つフェイスカバー２を浴槽８側に向ける構造の一例として、フェイスカバー２を前方に引き出したままで、フェイスカバー２を上下方向に起倒自在とする。この場合、フェイスカバー２を引き出したままでフェイスカバー２を上に跳ね上げることで、フェイスカバー２が邪魔にならず入浴動作をスムーズに行なえるようになると同時に、浴槽８側に向かって酸素を供給できるようになる。
【００２１】
前記各実施形態では、酸素噴出ノズル３から酸素を供給する場合を例示したが、酸素以外に、例えば、入浴気分を爽快にさせるクリーン外気、負イオン空気、冷却空気などの気体を供給するシステムにも広く適用可能である。
【図面の簡単な説明】
【００２２】
【図１】本発明の一実施形態の酸素浴システムの一例を説明する側面図である。
【図２】（ａ）は同上のフェイスカバーの支持状態を示す側面図、（ｂ）は同上のフェイスカバーを前方に引き出した際にマイクロスイッチがＯＮ状態になる場合の説明図、（ｃ）は同上のフェイスカバーを後方に押し込む際にマイクロスイッチがＯＦＦ状態になる場合の説明図である。
【図３】従来例の酸素浴システムの説明図である。
【符号の説明】
【００２３】
１  シャワー装置
２  フェイスカバー
３  酸素噴出ノズル
４  酸素発生装置
５  着座部
６  シャワー噴出部
７  顔面部
９  スイッチ手段
【図１】
2008005916.tif 000003
【図２】
2008005916.tif 000004
【図３】
2008005916.tif 000005